(57)【要約】【課題】フォーマット変換ソフトを使用することなく、記憶された録画情報または録音情報を記憶装置に記憶させることを可能にする。【解決手段】送信機１０は、録画によって記憶媒体に記憶された録画情報または録音によって記憶媒体に記憶された録音情報の再生によって生成された再生情報を取得する制御部１００およびインタフェイス部１５０と、制御部１００およびインタフェイス部１５０により取得された再生情報を、再生情報を受信してＨＤＤレコーダ５１に記憶させる受信機２０へ送信する制御部１００およびトランスミッタ部１４０と、を備える。【選択図】図１
2014116695.tif 000002
【特許請求の範囲】
【請求項１】
録画によって記憶媒体に記憶された録画情報または録音によって前記記憶媒体に記憶された録音情報の再生によって生成された再生情報を取得する再生情報取得部と、
前記再生情報取得部により取得された再生情報を、前記再生情報を受信して記憶装置に記憶させる受信機へ送信する送信部と、
を備える送信機。
【請求項２】
前記記憶媒体に記憶された録画情報または録音情報を再生可能な機器に、前記録画情報または録音情報の再生を指示する指示部を備え、
前記再生情報取得部は、前記指示部の指示によって前記録画情報または録音情報が前記機器で再生されて生成された再生情報を取得する、
請求項１に記載の送信機。
【請求項３】
ユーザによって指定された再生時刻を記憶する指定情報記憶部と、
時刻を計時する計時部と、
前記計時部により計時されている時刻が前記指定情報記憶部に記憶された再生時刻になると、通常モードよりも消費する電力が少ない省電力モードから前記通常モードへ前記機器を移行させて、前記機器を、前記録画情報または録音情報の再生が可能な状態に移行させる再生移行部と、を備え、
前記指示部は、前記再生移行部により前記機器が前記再生可能な状態に移行した後に、前記録画情報または録音情報の再生を指示する、
請求項２に記載の送信機。
【請求項４】
録画によって記憶媒体に記憶された録画情報または録音によって前記記憶媒体に記憶された録音情報の再生によって生成された再生情報を受信する受信部と、
前記受信部により受信された再生情報を予め指定されたフォーマットで記憶装置に記憶させる記憶制御部と、
を備える受信機。
【請求項５】
ユーザによって設定された再生時刻を記憶する時刻情報記憶部と、
時刻を計時する計時部と、
前記計時部により計時されている時刻が前記時刻情報記憶部に記憶された再生時刻になると、通常モードよりも消費する電力が少ない省電力モードから前記通常モードへ前記記憶装置を移行させて、前記記憶装置を、前記再生情報の記憶が可能な状態に移行させる記憶移行部と、を備え、
前記記憶制御部は、前記記憶移行部により前記記憶装置が記憶可能な状態に移行した後に、前記受信された再生情報を前記記憶装置に記憶させる、
請求項４に記載の受信機。
【請求項６】
請求項１から３のいずれか１項に記載の送信機と、
請求項４または５に記載の受信機と、
を備える制御システム。
【請求項７】
送信機の送信方法であって、
前記送信機が、録画によって記憶媒体に記憶された録画情報または録音によって前記記憶媒体に記憶された録音情報の再生によって生成された再生情報を取得する再生情報取得ステップと、
前記送信機が、前記再生情報取得ステップにより取得された再生情報を、前記再生情報を受信して記憶装置に記憶させる受信機へ送信する送信ステップと、
を備える送信方法。
【請求項８】
受信機の受信方法であって、
前記受信機が、録画によって記憶媒体に記憶された録画情報または録音によって前記記憶媒体に記憶された録音情報の再生によって生成された再生情報を受信する受信ステップと、
前記受信機が、前記受信ステップにより受信された再生情報を予め指定されたフォーマットで記憶装置に記憶させる記憶制御ステップと、
を備える受信方法。
【請求項９】
送信機を制御するコンピュータに、
録画によって記憶媒体に記憶された録画情報または録音によって前記記憶媒体に記憶された録音情報の再生によって生成された再生情報を取得する再生情報取得機能、
前記再生情報取得機能により取得された再生情報を、前記再生情報を受信して記憶装置に記憶させる受信機へ送信する送信機能、
を実現させるプログラム。
【請求項１０】
受信機を制御するコンピュータに、
録画によって記憶媒体に記憶された録画情報または録音によって前記記憶媒体に記憶された録音情報の再生によって生成された再生情報を受信する受信機能、
前記受信機能により受信された再生情報を予め指定されたフォーマットで記憶装置に記憶させる記憶制御機能、
を実現させるプログラム。
【発明の詳細な説明】
【技術分野】
【０００１】
本発明は、送信機、受信機、制御システム、送信方法、受信方法およびプログラムに関する。
【背景技術】
【０００２】
ビデオカメラ等の撮像装置による例えば運動会等の録画によって生成された録画情報や、マイクロホン等の受音装置による例えばコンサート等の音声の録音によって生成された録音情報を、記憶媒体に記憶させる装置として、特許文献１に記載の動画データ生成装置がある。
【０００３】
特許文献１に記載の動画データ生成装置は、書画カメラから取得したフレーム画像データ（録画情報に相当）や、マイクロホンを介して取得した音声データ（録音情報に相当）を、受信データバッファ（記憶媒体に相当）に記憶させる。そして、動画データ生成装置は、記憶させたフレーム画像データと記憶させた音声データとを合成して動画データ（録画情報および録音情報に相当）を生成し、この動画データを、例えばハードディスク装置に記憶させる。
【先行技術文献】
【特許文献】
【０００４】
【特許文献１】特開２０１１−４２０４号公報
【発明の概要】
【発明が解決しようとする課題】
【０００５】
ここで、特許文献１の動画データ生成装置によって例えばハードディスク装置に記憶された動画データを、再生する準備として、ハードディスク装置とは異なる、例えば再生機能を有するＤＶＤ（Digital Versatile Disc）レコーダ等の記憶装置に記憶させる場合、一般的にユーザは、ハードディスク装置に記憶された動画データのフォーマット（例えば、ファイルの形式および符号化の形式等）を、記憶装置に対応したフォーマットに変換するフォーマット変換ソフトを使用する。
【０００６】
このフォーマット変換ソフトをユーザが使用するためには、記憶元に記憶された動画データのファイルの形式および符号化の形式等に加えて、記憶先の記憶装置に対応したファイルの形式および符号化の形式等が明らかでなければならない。更に、フォーマット変換ソフトが、次の機能、即ち、記憶された動画データのファイルの形式および符号化の形式等を記憶装置に対応したファイルの形式および符号化の形式等に変換する機能を備えていなければならない。なお、フォーマット変換ソフトが上述の機能を備えていない場合、ユーザは、この機能を備えるフォーマット変換ソフトを新たに開発しなければならない。
【０００７】
ここで、記憶された動画データのファイルの形式および符号化の形式等が不明な場合、例え動画データのファイルの形式が明らかであったとしても、動画データの符号化の形式が未公開のために不明な場合、或いは、フォーマット変換ソフトが上述の機能を備えていない場合等が、実際には多い。このため、フォーマット変換ソフトを使用したフォーマット変換によって、動画データが記憶されている装置以外の異なる記憶装置に、動画データを記憶させようとする場合、動画データ（録画情報または録音情報）を記憶させる機会が限られるという問題点があった。
【０００８】
本発明は、上記実情に鑑みてなされたものであり、フォーマット変換ソフトを使用することなく、記憶された録画情報または録音情報を記憶装置に記憶させることが可能な送信機、受信機、制御システム、送信方法、受信方法およびプログラムを提供することを目的とする。
【課題を解決するための手段】
【０００９】
本発明の第１の観点に係る送信機は、
録画によって記憶媒体に記憶された録画情報または録音によって前記記憶媒体に記憶された録音情報の再生によって生成された再生情報を取得する再生情報取得部と、
前記再生情報取得部により取得された再生情報を、前記再生情報を受信して記憶装置に記憶させる受信機へ送信する送信部と、
を備える。
【００１０】
本発明の第２の観点に係る受信機は、
録画によって記憶媒体に記憶された録画情報または録音によって前記記憶媒体に記憶された録音情報の再生によって生成された再生情報を受信する受信部と、
前記受信部により受信された再生情報を予め指定されたフォーマットで記憶装置に記憶させる記憶制御部と、
を備える。
【００１１】
本発明の第３の観点に係る制御システムは、
本発明の第１の観点に係る送信機と、
本発明の第２の観点に係る受信機と、
を備える。
【００１２】
本発明の第４の観点に係る送信方法は、
送信機の送信方法であって、
前記送信機が、録画によって記憶媒体に記憶された録画情報または録音によって前記記憶媒体に記憶された録音情報の再生によって生成された再生情報を取得する再生情報取得ステップと、
前記送信機が、前記再生情報取得ステップにより取得された再生情報を、前記再生情報を受信して記憶装置に記憶させる受信機へ送信する送信ステップと、
を備える。
【００１３】
本発明の第５の観点に係る受信方法は、
受信機の受信方法であって、
前記受信機が、録画によって記憶媒体に記憶された録画情報または録音によって前記記憶媒体に記憶された録音情報の再生によって生成された再生情報を受信する受信ステップと、
前記受信機が、前記受信ステップにより受信された再生情報を予め指定されたフォーマットで記憶装置に記憶させる記憶制御ステップと、
を備える。
【００１４】
本発明の第６の観点に係るプログラムは、
送信機を制御するコンピュータに、
録画によって記憶媒体に記憶された録画情報または録音によって前記記憶媒体に記憶された録音情報の再生によって生成された再生情報を取得する再生情報取得機能、
前記再生情報取得機能により取得された再生情報を、前記再生情報を受信して記憶装置に記憶させる受信機へ送信する送信機能、
を実現させる。
【００１５】
本発明の第７の観点に係るプログラムは、
受信機を制御するコンピュータに、
録画によって記憶媒体に記憶された録画情報または録音によって前記記憶媒体に記憶された録音情報の再生によって生成された再生情報を受信する受信機能、
前記受信機能により受信された再生情報を予め指定されたフォーマットで記憶装置に記憶させる記憶制御機能、
を実現させる。
【発明の効果】
【００１６】
本発明によれば、フォーマット変換ソフトを使用することなく、記憶された録画情報または録音情報を記憶装置に記憶させることが可能である。
【図面の簡単な説明】
【００１７】
【図１】本発明の実施の形態１に係る制御システムのブロック図である。
【図２】（ａ）は、利用形態種別を選択した場合の画面を示す図であり、（ｂ）は、デバイス選択を選択した場合の画面を示す図であり、（ｃ）は、再生タイプを選択した場合の画面を示す図であり、（ｄ）は、ファイルの変換を選択した場合の画面を示す図であり、（ｅ）は、ファイルの視聴を選択した場合の画面を示す図である。
【図３】情報指定処理を示すフローチャートである。
【図４】（ａ）は、割り込み処理を示すフローチャートであり、（ｂ）は、再生送信処理を示すフローチャートである。
【図５】（ａ）は、第１割り込み処理を示すフローチャートであり、（ｂ）は、第２割り込み処理を示すフローチャートである。
【図６】受信処理を示すフローチャートである。
【図７】指示実行処理を示すフローチャートである。
【図８】本発明の実施の形態２に係る制御システムのブロック図である。
【図９】（ａ）は、利用形態種別を選択した場合の画面を示す図であり、（ｂ）は、デバイス選択を選択した場合の画面を示す図であり、（ｃ）は、再生タイプを選択した場合の画面を示す図である。
【図１０】情報送信処理を示すフローチャートである。
【図１１】（ａ）は、開始用割り込み処理を示すフローチャートであり、（ｂ）は、指定情報受信処理を示すフローチャートである。
【図１２】本発明の実施の形態３に係る制御システムのブロック図である。
【発明を実施するための形態】
【００１８】
（実施の形態１）
以下、本発明の実施の形態に係る制御システム３０を、図１〜図７を参照して説明する。制御システム３０は、図１に示すように、送信機１０と、受信機２０と、バスライン２５と、図示しないＣＰＵ（Central Processing Unit）と、を備えている。
【００１９】
バスライン２５は、送信機１０と受信機２０とを相互に接続する。
【００２０】
送信機１０は、制御システム３０に内蔵されている。送信機１０は、再生対象ファイルが再生されることで生成された再生情報を受信し、受信した再生情報に変調を施して、受信機２０へ送信する。送信機１０は、制御部１００と、入力部１２０と、指定情報記憶部１３０と、トランスミッタ部１４０と、インタフェイス部１５０と、を備えている。なお、再生対象ファイルは、録画によって生成された例えば動画等の録画情報、または録音によって生成された例えば音楽ファイル等の録音情報に対応するものである。
【００２１】
制御部１００は、送信機１０の制御を行う。制御部１００は、図示しないＣＰＵと、ＲＯＭ（Read only Memory）と、ＲＡＭ（Random Access Memory）と、を備えている。
【００２２】
ＣＰＵは、ＲＯＭに格納されたプログラム（例えば、後述する図３，４に示す処理を実現するプログラム）を実行する。
【００２３】
また、ＣＰＵがＲＯＭに格納されたプログラムを実行することにより、制御部１００は、ドライバ部１１０の機能を実現する。ドライバ部１１０は、再生対象ファイルを記憶したＶＨＳ（Video Home System）カセット（記憶媒体）が再生可能にセットされたＶＨＳビデオデッキ４１、再生対象ファイルを記憶した記憶メディア（記憶媒体）が再生可能にセットされたＣＤ／ＤＶＤ（Compact Disc/Digital Versatile Disc）プレイヤ４２、または内蔵するＨＤＤ（Hard Disk Drive，記憶媒体）に再生対象ファイルを記憶したＨＤＤレコーダ４３のいずれかに、再生対象ファイルの再生を指示し、再生対象ファイルを再生させる。
【００２４】
制御部１００は、例えば、ＶＨＳビデオデッキ４１、ＣＤ／ＤＶＤプレイヤ４２、またはＨＤＤレコーダ４３のいずれかの再生対象デバイス（録画情報または録音情報を再生可能な機器であり、ユーザにより再生対象ファイルの再生が指示された機器）で、再生対象ファイルが再生されると、再生対象ファイルが再生されることで生成される再生情報を、再生対象デバイスから受信する。そして、制御部１００は、再生情報に変調を施し、変調を施した再生情報を、受信機２０へ送信する。
【００２５】
入力部１２０は、例えばキーボードである。入力部１２０は、例えば、再生対象デバイスの指定や、再生対象ファイルの指定の他に、再生対象ファイルの再生時刻の指定等のユーザ操作を受け付ける。
【００２６】
指定情報記憶部１３０は、例えばフラッシュメモリである。指定情報記憶部１３０は、ユーザにより指定された情報、具体的には、指定された再生対象デバイスを示す情報、指定された再生対象ファイルを示す情報および指定された再生対象ファイルの再生時刻を示す情報を記憶する。指定情報記憶部１３０に記憶された再生時刻になると、制御部１００は、再生対象デバイスに再生対象ファイルを再生させて再生情報を送信する処理を開始する。
【００２７】
トランスミッタ部１４０は、送信機１０（具体的には、インタフェイス部１５０）で受信された再生情報に変調を施して、変調した再生情報を受信機２０へ無線送信する。トランスミッタ部１４０は、例えば、ワンセグメント方式やフルセグメント方式、或いは、ＦＭ（Frequency Modulation）方式等の送信方式で、再生情報を送信する。なお、ワンセグメント方式とは、携帯電話機・移動体端末向けの１セグメント部分受信サービスに対応する方式を示し、フルセグメント方式とは、フルセグメント放送（デジタルテレビ放送）に対応する方式を示す。
【００２８】
インタフェイス部１５０は、例えば、ＵＳＢ（Universal Serial Bus）インタフェイスである。インタフェイス部１５０は、例えば、ＵＳＢケーブルを介して、ＶＨＳビデオデッキ４１、ＣＤ／ＤＶＤプレイヤ４２およびＨＤＤレコーダ４３のそれぞれに接続されている。インタフェイス部１５０は、ＶＨＳビデオデッキ４１、ＣＤ／ＤＶＤプレイヤ４２、またはＨＤＤレコーダ４３のそれぞれから出力された再生情報を受信する。
【００２９】
バスラインＢＬ１は、各部１００，１２０，１３０，１４０，１５０を相互に接続する。
【００３０】
受信機２０は、制御システム３０に内蔵されている。受信機２０は、送信機１０から送信された再生情報を受信し、受信した再生情報を、受信機２０に接続済の記憶装置に記憶可能なフォーマット（例えば、ファイルの形式および符号化の形式等）に変換し、変換後の再生情報を、記憶装置に記憶する。
【００３１】
このように、制御システム３０は、再生対象ファイルのフォーマットに関わらず、再生対象ファイルを再生対象デバイスで再生させ、再生により生成された再生情報を受信機２０へ送信することで、再生対象ファイル（再生情報）を、記憶装置に対応したフォーマットで、記憶装置に記憶させることができる。よって、制御システム３０によれば、再生対象ファイルのフォーマットを記憶装置に対応したフォーマットに変換するフォーマット変換ソフトを使用することなく、再生対象ファイルを、記憶装置に記憶させることが可能である。また、制御システム３０によれば、所望のフォーマットに対応した記憶装置に、再生対象ファイル（再生情報）を記憶させることができるので、再生対象ファイルを、所望のフォーマットに変換することができる。
【００３２】
受信機２０は、制御部２００と、入力部２２０と、時刻情報記憶部２３０と、レシーバ部２４０と、インタフェイス部２５０と、を備えている。
【００３３】
制御部２００は、受信機２０の制御を行う。制御部２００は、図示しないＣＰＵと、ＲＯＭと、ＲＡＭと、を備えている。
【００３４】
ＣＰＵは、ＲＯＭに格納されたプログラム（例えば、後述する図５〜７に示す処理を実現するプログラム）を実行する。
【００３５】
また、ＣＰＵがＲＯＭに格納されたプログラムを実行することにより、制御部２００は、レコーダ部２１０の機能を実現する。レコーダ部２１０は、ＨＤＤレコーダ５１、ＣＤ／ＤＶＤレコーダ５２、またはＵＳＢメモリ５３のそれぞれのうち、予めユーザにより決定された機器（本実施の形態では、ＨＤＤレコーダ５１）に、受信した再生情報を記憶する。具体的には、レコーダ部２１０は、受信した再生情報を、ＨＤＤレコーダ５１に対応したフォーマットに変換し、変換後の再生情報を、ＨＤＤレコーダ５１に記憶する。
【００３６】
制御部２００は、ＨＤＤレコーダ５１に記憶された再生情報の変換がユーザにより指示されると、ＨＤＤレコーダ５１に記憶された再生情報のフォーマットを、変換する。具体的には、ＨＤＤレコーダ５１に記憶された、変換が指示された再生情報を、ユーザにより記憶先として指示された機器に対応したフォーマットに変換し、変換後の再生情報を、記憶先として指示された機器に記憶する。なお、以後、変換が指示された再生情報を「変換対象ファイル」と称する。
【００３７】
また、制御部２００は、ＨＤＤレコーダ５１またはＣＤ／ＤＶＤレコーダ５２のいずれかに記憶された再生情報の視聴がユーザによって指示されると、視聴が指示された再生情報を、ＨＤＤレコーダ５１またはＣＤ／ＤＶＤレコーダ５２から特定し、視聴対象ファイルが記憶されている機器（ＨＤＤレコーダ５１またはＣＤ／ＤＶＤレコーダ５２のいずれか）に、視聴対象ファイルの再生を指示する。なお、以後、視聴が指示された再生情報を、「視聴対象ファイル」と称する。
【００３８】
入力部２２０は、例えばキーボードである。入力部２２０は、例えば、変換対象ファイルの指定や、視聴対象ファイルの指定等のユーザ操作を受け付ける。
【００３９】
時刻情報記憶部２３０は、例えばフラッシュメモリである。時刻情報記憶部２３０は、送信機１０から送信された、再生対象ファイルの再生時刻を示す情報を記憶する。時刻情報記憶部２３０に記憶された再生時刻になると、制御部２００は、再生情報を受信する処理を開始する。
【００４０】
レシーバ部２４０は、送信機１０（具体的には、トランスミッタ部１４０）から送信された再生情報を受信し、受信した再生情報を復調する。なお、レコーダ部２１０は、レシーバ部２４０によって復調された再生情報を、ＨＤＤレコーダ５１に対応したフォーマットに変換し、変換後の再生情報を、ＨＤＤレコーダ５１に記憶する。
【００４１】
インタフェイス部２５０は、例えば、ＵＳＢインタフェイスである。インタフェイス部２５０は、例えば、ＵＳＢケーブルを介して、ＨＤＤレコーダ５１、ＣＤ／ＤＶＤレコーダ５２およびＵＳＢメモリ５３のそれぞれに接続されている。インタフェイス部２５０は、レコーダ部２１０による変換後の再生情報の記憶が行われる場合、変換後の再生情報を、ＨＤＤレコーダ５１へ出力する。また、インタフェイス部２５０は、変換対象ファイルの指定がユーザにより行われた場合、ＨＤＤレコーダ５１に記憶されている変換対象ファイルを、ユーザにより指示された機器（ＣＤ／ＤＶＤレコーダ５２またはＵＳＢメモリ５３）に対応したフォーマットに変換し、変換後の変換対象ファイルを、指定された機器に記憶させる。更に、インタフェイス部２５０は、視聴対象ファイルの指示がユーザにより行われた場合、視聴対象ファイルが記憶されている機器（ＨＤＤレコーダ５１またはＣＤ／ＤＶＤレコーダ５２のいずれか）に、視聴対象ファイルの再生の指示を送信する。
【００４２】
バスラインＢＬ２は、各部２００，２２０，２３０，２４０，２５０を相互に接続する。
【００４３】
上述した制御システム３０の電源がオンされている状態で、再生対象ファイルの指定等を行うユーザ指示が入力部１２０で受け付けられると、送信機１０の制御部１００は、送信機１０に設けられた例えばタッチパネル式ディスプレイに、図２（ａ）に示すオンデマンドメニュ画面を表示する。オンデマンドメニュ画面で、制御システム３０が一体型であるか（送信機１０と受信機２０とを内蔵した型であるか）、制御システム３０が分離型であるか（送信機１０と受信機２０とが別体の型であるか）、の指定を受け付ける「利用形態種別」ボタンが、ユーザにより押下されると、制御部１００は、一体型または分離型の指定を受け付ける画面へ移行し、制御システム３０が一体型であるか、または制御システム３０が分離型であるかの指定を受け付ける。本実施の形態の制御システム３０は、一体型であるので、ユーザは、「一体型」ボタンを押下する。
【００４４】
「一体型」ボタンが押下されると、制御部１００は、図３に示す情報指定処理を開始する。
【００４５】
情報指定処理では、まず、制御部１００は、送信機１０に設けられた例えばタッチパネル式ディスプレイに、再生対象ファイルの指定等を受け付ける図２（ｂ）に示すオンデマンドメニュ画面を表示する（ステップＳ１）。
【００４６】
ここで、図２（ｂ）に示すように、再生対象ファイルの指示および再生対象ファイルを記憶した再生対象デバイスの指定を受け付ける「デバイス選択」ボタンが、ユーザにより押下されると、制御部１００は、再生対象デバイスを一覧表示した画面を表示する。そして、例えば、ＣＤ／ＤＶＤプレイヤ４２のＤＶＤ機能を選択することを示す「ＤＶＤ」ボタンが、ユーザにより押下されると、制御部１００は、再生対象デバイスをＣＤ／ＤＶＤプレイヤ４２に特定した後、ＣＤ／ＤＶＤプレイヤ４２を起動させる。そして、制御部１００は、ＣＤ／ＤＶＤプレイヤ４２にセットされているＤＶＤディスクに記憶されているファイルの一覧をＣＤ／ＤＶＤプレイヤ４２から取得し、再生対象ファイルの一覧を表示する。その後、制御部１００は、ＣＤ／ＤＶＤプレイヤ４２を省電力モード（通常モードよりも消費する電力が少なく、再生対象ファイルの再生が不可能なモード）に移行させる。ここで、例えば、再生対象ファイルをＤＥＦファイルにすることを示す「ＤＥＦ」ボタンがユーザにより押下されると、制御部１００は、再生対象ファイルをＤＥＦファイルに特定する。
【００４７】
オンデマンドメニュ画面で、図２（ｃ）に示すように、再生対象ファイルの再生時刻の指定を受け付ける「再生タイプ」ボタンが、ユーザにより押下されると、制御部１００は、再生対象ファイルの即時の再生を開始する「即時再生」ボタンおよび再生対象ファイルの再生時刻を指定する「時刻指定再生」ボタンを、表示する。ここで、例えば、「時刻指定再生」ボタンがユーザにより押下されると、制御部１００は、再生時刻の指定を受け付ける画面を表示する。この画面に従い、ユーザは、再生対象ファイルの再生時刻を例えば入力部１２０を操作して入力する。そして、ユーザは、再生時刻を指定する画面に表示された「完了」ボタンを押下することで、再生時刻、再生対象ファイルおよび再生対象デバイスの指定を完了することができる。
【００４８】
上述の「完了」ボタンがユーザにより押下されると、図３に示す情報指定処理のステップＳ２で、制御部１００は、指定が完了したと判定し（ステップＳ２：Ｙｅｓ）、ステップＳ３へ移行する。なお、制御部１００は、上述の「完了」ボタンがユーザにより押下されるまで（ステップＳ２：Ｎｏ）、ステップＳ１の処理を繰り返し実行する。
【００４９】
制御部１００は、ステップＳ２でＹｅｓと判定すると、ステップＳ１で指定された情報、具体的には、指定された再生対象デバイスを示す情報、指定された再生対象ファイルの情報および指定された再生時刻を示す情報を、指定情報記憶部１３０に記憶する（ステップＳ３）。なお、再生タイプが即時再生である場合（図２（ｃ）参照）、制御部１００は、例えば内蔵するクロックで計時されている現在時刻を示す情報を、再生時刻を示す情報として指定情報記憶部１３０に記憶する。
【００５０】
その後、制御部１００は、指定情報記憶部１３０に記憶された再生時刻を示す情報を、バスラインＢＬ１，２５，ＢＬ２を介して受信機２０へ送信して（ステップＳ４）、この情報指定処理を終了する。なお、受信機２０は、再生時刻を示す情報を受信すると、その再生時刻を示す情報を、時刻情報記憶部２３０に記憶する。
【００５１】
制御部１００は、指定された再生対象デバイスを示す情報、指定された再生対象ファイルの情報および指定された再生時刻を示す情報の指定情報記憶部１３０への記憶が完了すると、図４（ａ）に示す割り込み処理を開始する。制御部１００は、この割り込み処理を、例えば、３０秒毎に繰り返し実行する。
【００５２】
割り込み処理では、制御部１００は、例えば内蔵するクロックで計時されている現在時刻が、指定情報記憶部１３０に記憶された情報で示される再生時刻と同一か否かを判定する（ステップＳ１１）。ここで、例えば内蔵するクロックは、計時部と呼ばれることもある。
【００５３】
制御部１００は、現在時刻が、指定情報記憶部１３０に記憶された情報で示される再生時刻と同一でないと判定すると（ステップＳ１１：Ｎｏ）、割り込み処理を終了する。
【００５４】
一方、制御部１００は、現在時刻が、指定情報記憶部１３０に記憶された情報で示される再生時刻と同一であると判定すると（ステップＳ１１：Ｙｅｓ）、再生対象ファイルの再生を指示して再生情報を送信する等を行う図４（ｂ）に示す再生送信処理を開始して（ステップＳ１２）、割り込み処理を終了する。
【００５５】
再生送信処理では、制御部１００は、ステップＳ２１で、まず、指定情報記憶部１３０に記憶された再生対象デバイスを示す情報を取得する。そして、制御部１００は、取得した情報で示される再生対象デバイスへ（本実施の形態では、ＶＨＳビデオデッキ４１、ＣＤ／ＤＶＤプレイヤ４２またはＨＤＤレコーダ４３のいずれかへ）、インタフェイス部１５０を介して、次の指示を送信する。即ち、制御部１００は、省電力モード（通常モードよりも消費する電力が少ないモード）から通常モードに再生対象デバイスを移行させることで、再生対象ファイルの再生が可能な状態に再生対象デバイスを移行させる指示を、再生対象デバイスへ送信する（ステップＳ２１）。これにより、この指示を受信した再生対象デバイスは、再生の準備を整える。なお、ステップＳ２１を実行する制御部１００およびインタフェイス部１５０は、再生移行部と呼ばれることもある。
【００５６】
次に、制御部１００（ドライバ部１１０）は、再生対象ファイルの再生の指示を、インタフェイス部１５０を介して再生対象デバイスへ送信する（ステップＳ２２）。これにより、この指示を受信した再生対象デバイスは、再生対象ファイルの再生を開始する。ここで、ステップＳ２２を実行する制御部１００（ドライバ部１１０）は、指示部と呼ばれることもある。
【００５７】
そして、制御部１００は、再生対象デバイスで再生対象ファイルが再生されることで生成された再生情報を、再生対象デバイスから受信する。そして、制御部１００は、再生情報に変調を施し、変調を施した再生情報を、トランスミッタ部１４０を介して受信機２０へ送信する（ステップＳ２３）。ここで、再生対象デバイスから再生情報を取得する制御部１００は、再生情報取得部と呼ばれることもある。
【００５８】
その後、制御部１００は、再生の完了を示す再生完了信号を、インタフェイス部１５０を介して再生対象デバイスから受信したか否かを判定することで、再生対象ファイルの再生が完了したか否かを判定する（ステップＳ２４）。なお、ステップＳ２４を実行する制御部１００およびインタフェイス部１５０は、再生完了信号取得部と呼ばれることもある。
【００５９】
制御部１００は、再生対象ファイルの再生が完了してないと判定すると（ステップＳ２４：Ｎｏ）、ステップＳ２２へ戻る。一方、制御部１００は、再生対象ファイルの再生が完了したと判定すると（ステップＳ２４：Ｙｅｓ）、再生が完了したことを受信機２０へ通知するため、再生完了信号を、バスラインＢＬ１，２５，ＢＬ２を介して受信機２０へ送信する（ステップＳ２５）。なお、受信機２０は、再生完了信号を受信すると、再生情報の受信を終了する。
【００６０】
ステップＳ２５の実行後、制御部１００は、再生対象ファイルの再生が不可能な状態に再生対象デバイスを移行させることで、再生対象デバイスを省電力モードに移行させる指示を、インタフェイス部１５０を介して再生対象デバイスへ送信する（ステップＳ２６）。なお、ステップＳ２６で省電力モードに移行させる指示を送信する制御部１００およびインタフェイス部１５０は、再生移行部と呼ばれることもある。
【００６１】
ステップＳ２６の実行後、制御部１００は、指定情報記憶部１３０に記憶された情報をクリアして（ステップＳ２７）、この再生送信処理を終了する。
【００６２】
一方、受信機２０の制御部２００は、制御システム３０の電源がオンされると、図５（ａ）に示す第１割り込み処理を開始する。制御部２００は、この割り込み処理を、例えば、１０ｍ秒毎に繰り返し実行する。
【００６３】
第１割り込み処理では、制御部２００は、送信機１０から送信される、再生時刻を示す情報を、バスラインＢＬ１，２５，ＢＬ２を介して受信したか否かを判定する（ステップＳ３１）。制御部２００は、再生時刻を示す情報を受信していないと判定すると（ステップＳ３１：Ｎｏ）、第１割り込み処理を終了する。一方、制御部２００は、再生時刻を示す情報を受信したと判定すると（ステップＳ３１：Ｙｅｓ）、再生時刻を示す情報を、時刻情報記憶部２３０に記憶して（ステップＳ３２）、第１割り込み処理を終了する。
【００６４】
上述した第１割り込み処理に加え、制御部２００は、制御システム３０の電源がオンされると、図５（ｂ）に示す第２割り込み処理も開始する。制御部２００は、この割り込み処理を、例えば、１０ｍ秒毎に繰り返し実行する。
【００６５】
第２割り込み処理では、制御部２００は、例えば内蔵するクロックで計時されている現在時刻が、時刻情報記憶部２３０に記憶された情報で示される再生時刻と同一か否かを判定する（ステップＳ４１）。制御部２００は、現在時刻が、時刻情報記憶部２３０に記憶された情報で示される再生時刻と同一でないと判定すると（ステップＳ４１：Ｎｏ）、第２割り込み処理を終了する。
【００６６】
一方、制御部２００は、現在時刻が、時刻情報記憶部２３０に記憶された情報で示される再生時刻と同一であると判定すると（ステップＳ４１：Ｙｅｓ）、送信機１０から送信される再生情報を受信する等を行う図６に示す受信処理を開始して（ステップＳ４２）、第２割り込み処理を終了する。
【００６７】
受信処理では、制御部２００（レコーダ部２１０）は、まず、ステップＳ５１を実行する。即ち、制御部２００（レコーダ部２１０）は、送信機１０から送信された再生情報をレシーバ部２４０に受信させる（ステップＳ５１）。
【００６８】
次に、制御部２００は、送信機１０から送信される再生完了信号を受信したか否かを判定する（ステップＳ５２）。制御部２００は、再生完了信号を受信していないと判定すると（ステップＳ５２：Ｎｏ）、再生完了信号を受信するまで、ステップＳ５１を繰り返し実行する。一方、制御部２００は、再生完了信号を受信すると（ステップＳ５２：Ｙｅｓ）、ステップＳ５３へ移行する。
【００６９】
ステップＳ５３では、制御部２００は、受信した再生情報にファイル名を示す情報が含まれているか否かを判定する（ステップＳ５３）。制御部２００は、再生情報にファイル名を示す情報が含まれていると判定すると（ステップＳ５３：Ｙｅｓ）、受信した再生情報のファイル名を、再生情報に含まれていた情報で示されるファイル名にする（ステップＳ５４）。
【００７０】
一方、制御部２００は、再生情報にファイル名を示す情報が含まれていないと判定すると（ステップＳ５３：Ｎｏ）、例えば内蔵するクロックから日時を取得し、取得した情報で示される日時（再生情報を受信した日時）を、受信した再生情報のファイル名にする（ステップＳ５５）。
【００７１】
上述したステップＳ５４またはステップＳ５５のいずれかの実行後、制御部２００は、ＨＤＤレコーダ５１を省電力モード（通常モードよりも消費する電力が少ないモード）から通常モードに移行させることで、ＨＤＤレコーダ５１を再生情報の記憶が可能な状態に移行させる指示を、インタフェイス部２５０を介してＨＤＤレコーダ５１へ送信する（ステップＳ５６）。このステップＳ５６を実行する制御部２００およびインタフェイス部２５０は、記憶移行部と呼ばれることもある。
【００７２】
ステップＳ５６の実行後、制御部２００は、ファイル名が付与された再生情報を、ＨＤＤレコーダ５１に対応したフォーマット（指定の符号化の形式およびファイルの形式等）に変換し、変換後の再生情報を、ＨＤＤレコーダ５１に記憶させる（ステップＳ５７）。なお、ステップＳ５７を実行する制御部２００は、記憶制御部と呼ばれることもある。
【００７３】
その後、制御部２００は、時刻情報記憶部２３０に記憶された再生時刻を示す情報をクリアする（ステップＳ５８）。そして、制御部２００は、インタフェイス部２５０を介して、ＨＤＤレコーダ５１から、再生情報の記憶完了を示す記憶完了信号を受信すると、再生情報の記憶が不可能な状態にＨＤＤレコーダ５１を移行させることでＨＤＤレコーダ５１を省電力モードに移行させる指示を、インタフェイス部２５０を介してＨＤＤレコーダ５１へ送信する（ステップＳ５９）。その後、制御部２００は、受信処理を終了する。なお、ステップＳ５９で記憶完了信号を取得する制御部２００およびインタフェイス部２５０は、記憶完了信号取得部と呼ばれることもある。また、ステップＳ５９で省電力モードに移行させる指示を送信する制御部２００およびインタフェイス部２５０は、記憶移行部と呼ばれることもある。
【００７４】
また、制御部２００は、ＨＤＤレコーダ５１に記憶された再生情報の変換が入力部２２０のユーザ操作によって指示された場合や、ＨＤＤレコーダ５１またはＣＤ／ＤＶＤレコーダ５２のいずれかに記憶された再生情報の視聴が入力部２２０のユーザ操作によって指示された場合、図７に示す指示実行処理を開始する。
【００７５】
この指示実行処理を開始するトリガとなるユーザ操作は、例えば、入力部２２０の操作により、オンデマンドメニュ画面が例えばタッチパネル式ディスプレイに表示され（図２（ｄ）または図２（ｅ）参照）、「ファイルの変換」ボタンがユーザにより押下された場合（図２（ｄ）参照）、または、「ファイルの視聴」ボタンがユーザにより押下された場合（図２（ｅ））が例示される。
【００７６】
指示実行処理では、制御部２００は、まず、ユーザ操作の内容を判定する（ステップＳ６１）。そして、ＨＤＤレコーダ５１に記憶された再生情報の変換が指示されたと判定すると（ステップＳ６１：変換、図２（ｄ）参照）、ステップＳ６２の処理を実行する。
【００７７】
具体的には、制御部２００は、ステップＳ６２で、記憶されているファイルのファイル名を示す情報をＨＤＤレコーダ５１から取得し、図２（ｄ）に示す変換対象ファイル一覧の画面を表示する。ここで、例えば、変換対象ファイルをＤＥＦファイルにすることを示す「ＤＥＦ」ボタンがユーザにより押下されると、制御部２００は、変換対象ファイルをＤＥＦファイルに特定し、変換対象ファイルの記憶先の指定を受け付ける変換対象デバイスの画面を表示する。そして、例えば、変換対象ファイルであるＤＥＦファイルをＣＤ／ＤＶＤレコーダ５２にＤＶＤフォーマットで記憶することを示す「ＤＶＤ」ボタンがユーザにより押下されると、制御部２００は、ＨＤＤレコーダ５１に記憶されているＤＥＦファイルをＤＶＤフォーマットでＣＤ／ＤＶＤレコーダ５２に記憶させる処理を実行する。
【００７８】
ステップＳ６２を実行する制御部２００は、受信部と呼ばれることもある。また、ステップＳ６２を実行する制御部２００およびインタフェイス部２５０は、記憶制御部と呼ばれることもある。
【００７９】
上述したステップＳ６２の完了後、制御部２００は、指示実行処理を終了する。
【００８０】
一方、制御部２００は、ＨＤＤレコーダ５１またはＣＤ／ＤＶＤレコーダ５２のいずれかに記憶された再生情報の視聴が指示されたと判定すると（ステップＳ６１：視聴、図２（ｅ）参照）、ステップＳ６３の処理を実行する。
【００８１】
具体的には、制御部２００は、ステップＳ６３で、ＨＤＤレコーダ５１およびＣＤ／ＤＶＤレコーダ５２に記憶されているファイルのファイル名を示す情報を取得し、図２（ｅ）に示す視聴対象ファイル一覧の画面を表示する。ここで、例えば、視聴対象ファイルをｘｙｚファイルにすることを示す「ｘｙｚ」ボタンが押下されると、制御部２００は、視聴対象ファイルをｘｙｚファイルに特定すると共に、特定したファイルが記憶されている機器（ＨＤＤレコーダ５１またはＣＤ／ＤＶＤレコーダ５２のいずれか）をファイル名から特定する。そして、制御部２００は、特定した視聴対象ファイルの再生指示を、インタフェイス部２５０を介して、特定した機器へ送信する。これにより、この指示を受信した機器は、視聴対象ファイルの再生を開始する。そして、制御部２００は、視聴対象ファイルが再生されることで生成される再生情報を、インタフェイス部２５０を介して、特定した機器から受信する。その後、制御部２００は、受信した再生情報を、例えばタッチパネル式ディスプレイに表示する。なお、入力部２２０の操作によりユーザから視聴の終了が指示されると、制御部２００は、再生情報の表示を終了する。
【００８２】
上述したステップＳ６３の実行後、制御部２００は、指示実行処理を終了する。
【００８３】
上述した通り、制御システム３０は、再生対象ファイルのフォーマットに関わらず、再生対象ファイルを再生対象デバイス（本実施の形態では、ＶＨＳビデオデッキ４１、ＣＤ／ＤＶＤプレイヤ４２またはＨＤＤレコーダ４３）で再生させ、再生により生成された再生情報を受信機２０へ送信することで、再生対象ファイル（再生情報）を、ＨＤＤレコーダ５１に対応したフォーマットで、ＨＤＤレコーダ５１に記憶させることができる。よって、制御システム３０によれば、再生対象ファイルのフォーマットを記憶装置に対応したフォーマットに変換するフォーマット変換ソフトを使用することなく、再生対象ファイルを、記憶装置であるＨＤＤレコーダ５１に記憶させることが可能である。従って、従来、再生対象ファイルのフォーマットが不明であることを理由に、例えば廃棄されていたファイルを、ユーザは、有効活用することができる。
【００８４】
また、制御システム３０によれば、所望のフォーマットに対応した記憶装置に、再生対象ファイル（再生情報）を記憶させることができるので、再生対象ファイルを、所望のフォーマットに変換することができる。
【００８５】
（実施の形態２）
次に、本発明の実施の形態２に係る制御システム３１を、図８〜１１を参照して説明する。制御システム３１は、実施の形態１の制御システム３０で使用された送信機１０および受信機２０の構成および処理の一部を変更したものである。よって、制御システム３１では、制御システム３０と同一の構成・同一の処理については同一の番号を付して、その説明を省略する。
【００８６】
図８に示す制御システム３１の送信機６０は、実施の形態１の送信機１０で実行された情報指定処理（図３参照）に代えて、図１１（ａ）に示す開始用割り込み処理および図１１（ｂ）に示す指定情報受信処理を実行する。なお、送信機６０は、この開始用割り込み処理および指定情報受信処理に加え、送信機１０と同様、割り込み処理（図４（ａ）参照）および再生送信処理（図４（ｂ）参照）を実行する。
【００８７】
また、制御システム３１の受信機７０は、実施の形態１の受信機２０で実行された第１割り込み処理（図５（ａ）参照）に代えて、図９に示す情報送信処理を実行する。なお、受信機７０は、この情報送信処理に加え、受信機２０と同様、第２割り込み処理（図５（ｂ）参照）、受信処理（図６参照）および指示実行処理（図７参照）を実行する。
【００８８】
制御システム３１は、図８に示すように、送信機６０と、受信機７０と、を備えている。制御システム３１は、実施の形態１の制御システム３０と異なり、送信機６０と受信機７０とが分離されている。つまり、制御システム３１は、分離型である。よって、実施の形態１の制御システム３０で使用されたバスラインＢＬ２５は、制御システム３１では使用しない。
【００８９】
送信機６０は、例えばパーソナルコンピュータから構成される。送信機６０は、送信機用通信部１６０を備えている。送信機用通信部１６０は、受信機７０（具体的には、受信機用通信部２６０）と、情報の送受信を行う。
【００９０】
受信機７０は、受信機用通信部２６０を備えている。受信機用通信部２６０は、送信機６０（具体的には、送信機用通信部１６０）と、情報の送受信を行う。
【００９１】
受信機７０は、次のようにして実現できる。即ち、例えば、電子機器（携帯電話機や携帯音楽プレーヤ等）に、第２割り込み処理（図５（ｂ）参照）、受信処理（図６参照）、指示実行処理（図７参照）および情報送信処理（図９参照）を実行させるプログラムをインストールすることで実現できる。なお、受信機用通信部２６０およびレシーバ部２４０は、電子機器が有する例えば近距離通信機能（例えば、Bluetooth（登録商標）通信機能）を用いて実現すればよい。よって、既にユーザが所有している電子機器（携帯電話機や携帯音楽プレーヤ等）を、受信機７０として有効活用することができる。
【００９２】
この受信機７０は、実施の形態１の受信機２０と異なり、受信機７０の電源がオンされている状態で、再生対象ファイルの指定等を行うユーザ指示が入力部２２０で受け付けられると、再生対象ファイルの指定等を受け付けるオンデマンドメニュ画面を、例えばタッチパネル式ディスプレイに表示し、再生対象デバイスの指定、再生対象ファイルの指定および再生時刻の指定の受け付けを行う。そして、受信機７０は、上述の受け付けが完了すると、指定された再生対象デバイスを示す情報、指定された再生対象ファイルの情報および指定された再生時刻を示す情報を、送信機６０へ送信する。これらの情報を受信すると、送信機６０は、受信した情報を、指定情報記憶部１３０に記憶する。このように、制御システム３１は、指定された再生対象デバイスを示す情報、指定された再生対象ファイルの情報および指定された再生時刻を示す情報を、送信機６０ではなく、受信機７０で指定する。
【００９３】
上述の指定等について、詳細に説明する。受信機７０は、受信機７０の電源がオンされている状態で、再生対象ファイルの指定等を行うユーザ指示が入力部２２０で受け付けられると、受信機７０に設けられた例えばタッチパネル式ディスプレイに、図９（ａ）に示すオンデマンドメニュ画面を表示する。
【００９４】
オンデマンドメニュ画面で、制御システム３１が一体型であるか（送信機６０と受信機７０とを内蔵した型であるか）、制御システム３１が分離型であるか（送信機６０と受信機７０とが別体の型であるか）、の指定を受け付ける「利用形態種別」ボタンが、ユーザにより押下されると（図９（ａ）参照）、制御部２００は、一体型または分離型の指定を受け付ける画面へ移行し、制御システム３１が一体型であるか、または制御システム３１が分離型であるかの指定を受け付ける。本実施の形態の制御システム３１は、分離型であるので、ユーザは、「分離型」ボタンを押下する。
【００９５】
「分離型」ボタンが押下されると、制御部２００は、図１０に示す情報指定処理を開始する。
【００９６】
情報送信処理では、まず、制御部２００は、ステップＳ７１で、受信機７０に設けられた例えばタッチパネル式ディスプレイに、再生対象ファイルの指定等を受け付けるオンデマンドメニュ画面を表示する（ステップＳ７１）。
【００９７】
ここで、図９（ｂ）に示すように、再生対象ファイルの指示および再生対象ファイルを記憶した再生対象デバイスの指定を受け付ける「デバイス選択」ボタンが、ユーザにより押下されると、制御部２００は、再生対象デバイスを一覧表示した画面を表示する。そして、例えば、ＣＤ／ＤＶＤプレイヤ４２のＤＶＤ機能を選択することを示す「ＤＶＤ」ボタンが、ユーザにより押下されると、制御部２００は、再生対象デバイスをＣＤ／ＤＶＤプレイヤ４２に特定する。その後、制御部２００は、受信機用通信部２６０を介して送信機６０（電源オン済み）に電源オン信号を送信して、ＣＤ／ＤＶＤプレイヤ４２の電源を制御部１００にオンさせる。そして、制御部２００は、ＣＤ／ＤＶＤプレイヤ４２にセットされているＤＶＤディスクに記録されているファイルの一覧を制御部１００に取得させ、取得した情報を、送信機用通信部１６０を介して制御部１００に送信させることで、再生対象ファイルの一覧を、受信すると共に表示する。その後、制御部２００は、ＣＤ／ＤＶＤプレイヤ４２を省電力モード（通常モードよりも消費する電力が少なく、再生対象ファイルの再生が不可能なモード）に移行させる信号と、送信機６０を省電力モード（通常モードよりも消費する電力が少なく、制御部１００および送信機用通信部１６０への通電に留めるモード）に移行させる信号とを、受信機用通信部２６０を介して送信機６０に送信する。ここで、例えば、再生対象ファイルをＤＥＦファイルにすることを示す「ＤＥＦ」ボタンが押下されると、制御部２００は、再生対象ファイルをＤＥＦファイルに特定する。
【００９８】
オンデマンドメニュ画面で、図９（ｃ）に示すように、再生対象ファイルの再生時刻の指定を受け付ける「再生タイプ」ボタンが、ユーザにより押下されると、制御部２００は、再生対象ファイルの即時の再生を開始する「即時再生」ボタンおよび再生対象ファイルの再生時刻を指定する「時刻指定再生」ボタンを、表示する。ここで、例えば、「時刻指定再生」ボタンがユーザにより押下されると、制御部２００は、再生時刻の指定を受け付ける画面を表示する。この画面に従い、ユーザは、再生対象ファイルの再生時刻を例えば入力部２２０の操作により入力する。そして、ユーザは、再生時刻を指定する画面に表示された「完了」ボタンを押下することで、再生時刻、再生対象ファイルおよび再生対象デバイスの指定を完了することができる。
【００９９】
上述の「完了」ボタンがユーザにより押下されると、図１０に示す情報送信処理のステップＳ７２で、制御部２００は、指定が完了したと判定し（ステップＳ７２：Ｙｅｓ）、ステップＳ７３へ移行する。なお、制御部２００は、上述の「完了」ボタンがユーザにより押下されるまで（ステップＳ７２：Ｎｏ）、ステップＳ７１の処理を繰り返し実行する。
【０１００】
ステップＳ７３では、制御部２００は、省電力モードから通常モードに送信機６０を移行させる起動信号を、受信機用通信部２６０を介して送信機６０へ送信する（ステップＳ７３）。この起動信号を受信すると、送信機６０は、省電力モードから通常モードに移行し、通常モードに移行したことを示す起動完了信号を、受信機７０へ送信する。なお、送信機６０が通常モードに移行すると、送信機６０の制御部１００は、制御部１００および送信機用通信部１６０に加え、入力部１２０、指定情報記憶部１３０、トランスミッタ部１４０およびインタフェイス部１５０への通電を行う。
【０１０１】
ステップＳ７３の実行後、制御部２００は、送信機６０から送信される起動完了信号を受信したか否かを判定する（ステップＳ７４）。制御部２００は、起動完了信号を受信していないと判定すると（ステップＳ７４：Ｎｏ）、起動完了信号を受信するまで、ステップＳ７３を繰り返し実行する。一方、制御部２００は、起動完了信号を受信したと判定すると（ステップＳ７４：Ｙｅｓ）、ステップＳ７１で指定された情報、具体的には、再生対象デバイスの指定、再生対象ファイルの指定および再生時刻を示す情報を、受信機用通信部２６０を介して送信機６０へ送信する（ステップＳ７５）。
【０１０２】
その後、制御部２００は、ステップＳ７１で指定された情報の送信が完了したことを示す送信完了信号を、受信機用通信部２６０を介して送信機６０へ送信する（ステップＳ７６）。そして、制御部２００は、ステップＳ７１で指定された、再生時刻を示す情報を、時刻情報記憶部２３０に記憶して（ステップＳ７７）、この情報送信処理を終了する。
【０１０３】
この情報送信処理の終了後、制御部２００は、第２割り込み処理（図５（ｂ）参照）を実行し、再生時刻になると、受信処理（図６参照）を実行する。また、制御部２００は、ＨＤＤレコーダ５１に記憶された再生情報の変換、或いはＨＤＤレコーダ５１またはＣＤ／ＤＶＤレコーダ５２のいずれかに記憶された再生情報の視聴が入力部２２０のユーザ操作によって指示されると、指示実行処理（図７参照）を開始する。
【０１０４】
一方で、送信機６０は、電源がオンされた後に、送信機１０を省電力モードに移行させる信号（受信機７０から送信される信号）を、送信機用通信部１６０を介して受信すると、省電力モードに移行し、図１１（ａ）に示す開始用割り込み処理を実行する。
【０１０５】
そして、開始用割り込み処理で、制御部１００は、送信機用通信部１６０を介して起動信号を受信したか否かを判定する（ステップＳ８１）。制御部１００は、起動信号を受信していないと判定すると（ステップＳ８１：Ｎｏ）、この開始用割り込み処理を終了する。
【０１０６】
一方、制御部１００は、起動信号を受信したと判定すると（ステップＳ８１：Ｙｅｓ）、省電力モードから通常モードに移行し（ステップＳ８２）、図１１（ｂ）に示す指定情報受信処理を開始する（ステップＳ８３）。
【０１０７】
指定情報受信処理では、制御部１００は、通常モードに移行したことを示す起動完了信号を、送信機用通信部１６０を介して受信機７０へ送信する（ステップＳ９１）。その後、制御部１００は、受信機７０から送信されている、指定された情報（図１０のステップＳ７１参照）を、送信機用通信部１６０を介して受信する（ステップＳ９２）。
【０１０８】
その後、制御部１００は、指定された情報の送信が完了したことを示す送信完了信号（受信機７０から送信される信号）を、送信機用通信部１６０を介して受信したか否かを判定する（ステップＳ９３）。
【０１０９】
制御部１００は、送信完了信号を受信していないと判定すると（ステップＳ９３：Ｎｏ）、送信完了信号を受信するまで、ステップＳ９２を繰り返し実行する。一方、制御部２００は、送信完了信号を受信したと判定すると（ステップＳ９３：Ｙｅｓ）、受信した情報（再生対象デバイスの指定、再生対象ファイルの指定および再生時刻を示す情報）を、指定情報記憶部１３０に記憶して（ステップＳ９４）、この指定情報受信処理を終了する。
【０１１０】
この指定情報受信処理の終了後、制御部１００は、割り込み処理（図４（ａ）参照）を実行し、再生時刻になると、再生送信処理（図４（ｂ）参照）を実行する。
【０１１１】
上述した通り、制御システム３１は、再生対象ファイルのフォーマットに関わらず、再生対象ファイルを再生対象デバイス（本実施の形態では、ＶＨＳビデオデッキ４１、ＣＤ／ＤＶＤプレイヤ４２またはＨＤＤレコーダ４３）で再生させ、再生により生成された再生情報を受信機７０へ送信することで、再生対象ファイル（再生情報）を、ＨＤＤレコーダ５１に対応したフォーマットで、ＨＤＤレコーダ５１に記憶させることができる。よって、制御システム３１によれば、再生対象ファイルのフォーマットを記憶装置に対応したフォーマットに変換するフォーマット変換ソフトを使用することなく、再生対象ファイルを、記憶装置であるＨＤＤレコーダ５１に記憶させることが可能である。従って、従来、再生対象ファイルのフォーマットが不明であることを理由に、例えば廃棄されていたファイルを、ユーザは、有効活用することができる。
【０１１２】
また、制御システム３１によれば、所望のフォーマットに対応した記憶装置に、再生対象ファイル（再生情報）を記憶させることができるので、再生対象ファイルを、所望のフォーマットに変換することができる。
【０１１３】
また、制御システム３１は、受信機７０を用いて、再生対象デバイス、再生対象ファイルおよび再生時刻を指定し、指定した情報を、受信機７０と分離して設けられた送信機６０に記憶させることができる。よって、再生対象デバイス、再生対象ファイルおよび再生時刻が送信機６０で指定されなくても、送信機６０は、再生情報を受信機７０へ送信することができる。従って、制御システム３１によれば、フォーマット変換ソフトを使用することなく、再生対象ファイル（再生情報）を、ＨＤＤレコーダ５１に対応したフォーマットで、ＨＤＤレコーダ５１に記憶させることができる。
【０１１４】
（実施の形態３）
次に、本発明の実施の形態３に係る制御システム３２を、図１２を参照して説明する。制御システム３２の送信機８０は、送信機１０，６０を最小限の構成で実現したものである。また、制御システム３２の受信機９０は、受信機２０，７０を最小限の構成で実現したものである。よって、送信機８０については、送信機１０，６０と同一の構成には同一の番号を付して、その説明を省略する。また、受信機９０については、受信機２０，７０と同一の構成には同一の番号を付して、その説明を省略する。
【０１１５】
送信機８０は、制御部１００と、トランスミッタ部１４０と、インタフェイス部１５０と、を備えている。
【０１１６】
制御部１００は、録画によって記憶された録画情報または録音によって記憶された録音情報の再生によって生成された再生情報を、インタフェイス部１５０を介して、ＶＨＳビデオデッキ４１、ＣＤ／ＤＶＤプレイヤ４２またはＨＤＤレコーダ４３から取得する。ここで、制御部１００およびインタフェイス部１５０は、再生情報取得部と呼ばれることもある。
【０１１７】
また、制御部１００は、インタフェイス部１５０を介して取得した再生情報を、再生情報を受信してＨＤＤレコーダ５１に記憶させる受信機９０へ、トランスミッタ部１４０を介して送信する。ここで、制御部１００およびトランスミッタ部１４０は、送信部と呼ばれることもある。
【０１１８】
なお、トランスミッタ部１４０は、受信機９０へ送信する再生情報に、実施の形態１の送信機１０および実施の形態２の送信機６０と同様、変調を施す。
【０１１９】
一方、受信機９０は、制御部２００と、レシーバ部２４０と、インタフェイス部２５０と、を備えている。
【０１２０】
制御部２００は、録画によって記憶された録画情報または録音によって記憶された録音情報の再生によって生成された再生情報を、レシーバ部２４０を介して受信する。ここで、制御部２００およびレシーバ部２４０は、受信部と呼ばれることもある。
【０１２１】
また、制御部２００は、インタフェイス部２５０を介して、予め指定されたＤＶＤフォーマットでＨＤＤレコーダ５１に、受信した再生情報を記憶させる。ここで、制御部２００およびインタフェイス部２５０は、記憶制御部と呼ばれることもある。
【０１２２】
上述した構成を備えることで、制御システム３２は、再生対象ファイルのフォーマットに関わらず、再生対象ファイルを再生対象デバイス（本実施の形態では、ＶＨＳビデオデッキ４１、ＣＤ／ＤＶＤプレイヤ４２またはＨＤＤレコーダ４３）で再生させ、再生により生成された再生情報を受信機９０へ送信することで、再生対象ファイル（再生情報）を、ＨＤＤレコーダ５１に対応したフォーマットで、ＨＤＤレコーダ５１に記憶させることができる。よって、制御システム３２によれば、再生対象ファイルのフォーマットを記憶装置に対応したフォーマットに変換するフォーマット変換ソフトを使用することなく、再生対象ファイルを、記憶装置であるＨＤＤレコーダ５１に記憶させることが可能である。従って、従来、再生対象ファイルのフォーマットが不明であることを理由に、例えば廃棄されていたファイルを、ユーザは、有効活用することができる。
【０１２３】
また、制御システム３２によれば、所望のフォーマットに対応した記憶装置に、再生対象ファイル（再生情報）を記憶させることができるので、再生対象ファイルを、所望のフォーマットに変換することができる。
【０１２４】
以上、本発明の実施形態を説明したが、この発明は上記の実施の形態に限定されず、種々の変形および応用が可能である。
【０１２５】
例えば、上述した制御システム３０〜３２では、受信機２０，７０，９０は、受信した再生情報を、ＨＤＤレコーダ５１に記憶させたが、これに限られるものではない。即ち、受信機２０，７０，９０は、受信した再生情報を、ＣＤ／ＤＶＤレコーダ５２またはＵＳＢメモリ５３に記憶させてもよい。また、受信機２０，７０，９０は、受信した再生情報を、変換した後、インタフェイス部２５０に接続された携帯電話機や携帯音楽プレーヤ、スマートフォン等の電子機器に記憶させてもよい。
【０１２６】
また、上述した制御システム３０〜３２では、再生対象ファイル（録画情報または録音情報）を記憶した機器（ＶＨＳビデオデッキ４１、ＣＤ／ＤＶＤプレイヤ４２またはＨＤＤレコーダ４３）が外部の機器であったが、これに限られるものではない。即ち、例えば、ＨＤＤレコーダ４３を、送信機１０，６０，８０に内蔵していてもよい。ＶＨＳビデオデッキ４１またはＣＤ／ＤＶＤプレイヤ４２も、同様に、送信機１０，６０，８０に内蔵していてもよい。
【０１２７】
また、上述した制御システム３０〜３２では、受信機２０，７０，９０は、受信した再生情報を、ＨＤＤレコーダ５１、即ち、外部の機器に記憶させたが、これに限られるものではない。即ち、受信機２０，７０，９０は、受信した再生情報を外部の機器に記憶させず、受信した再生情報を圧縮して、内蔵する例えばフラッシュメモリに記憶してもよい。これは、特に、受信機２０，７０，９０を、例えばワンセグメント方式やフルセグメント方式、或いは、ＦＭ方式等の電波を受信する機能を有する電子機器（携帯電話機や携帯音楽プレーヤ等）で構成している場合に、有用である。
【０１２８】
また、上述した制御システム３０〜３２では、トランスミッタ部１４０とレシーバ部２４０との無線通信によって、送信機１０，６０，８０から受信機２０，７０，９０へ再生情報を送信したが、これに限られるものではない。トランスミッタ部１４０を、再生情報に含まれる動画の表示が可能であり且つ音声情報に含まれる音声を出力可能な再生機器とし、レシーバ部２４０を、再生機器に表示された動画の撮影が可能であり且つ再生機器から出力された音声を受音可能な撮影機器としてもよい。即ち、物理的に分離された、トランスミッタ部１４０とレシーバ部２４０との間で、トランスミッタ部１４０からレシーバ部２４０に再生情報を伝達可能であれば、トランスミッタ部１４０からレシーバ部２４０への再生情報の伝達手段の形態は、特に限定されない。
【０１２９】
なお、上記実施形態において、制御システム３０〜３２を制御するプログラムは、フレキシブルディスク、ＣＤ−ＲＯＭ（Compact Disc Read−Only Memory）、ＤＶＤ（Digital Versatile Disc）、ＭＯ（Magneto−Optical Disc）等のコンピュータが読み取り可能な記録媒体に格納して配布し、そのプログラムを、コンピュータ等にインストールすることにより、図３〜７，１０，１１に示す処理を実行する制御システムを構成することとしてもよい。
【０１３０】
また、上述のプログラムをインターネット等の通信ネットワーク上の所定のサーバ装置が有するディスク装置等に格納しておき、例えば、搬送波に重畳させて、ダウンロード等するようにしてもよい。
【０１３１】
また、上述の図３〜７，１０，１１に示す処理を、各ＯＳ（Operating System）が分担して実現する場合、又は、ＯＳとアプリケーションとの協働により実現する場合等には、ＯＳ以外の部分のみを媒体に格納して配布してもよく、また、ダウンロード等してもよい。
【０１３２】
本発明は、本発明の広義の精神と範囲を逸脱することなく、様々な実施形態及び変形が可能とされるものである。また、上述した実施形態は、本発明を説明するためのものであり、本発明の範囲を限定するものではない。すなわち、本発明の範囲は、上述した実施形態ではなく、請求の範囲によって示される。そして、請求の範囲内およびそれと同等の発明の意義の範囲内で施される様々な変形が、本発明の範囲内とみなされる。
【０１３３】
上記の実施形態の一部又は全部は、以下の付記のようにも記載されうるが、以下には限られない。
【０１３４】
（付記１）
録画によって記憶媒体に記憶された録画情報または録音によって前記記憶媒体に記憶された録音情報の再生によって生成された再生情報を取得する再生情報取得部と、
前記再生情報取得部により取得された再生情報を、前記再生情報を受信して記憶装置に記憶させる受信機へ送信する送信部と、
を備える送信機。
（付記２）
前記記憶媒体に記憶された録画情報または録音情報を再生可能な機器に、前記録画情報または録音情報の再生を指示する指示部を備え、
前記再生情報取得部は、前記指示部の指示によって前記録画情報または録音情報が前記機器で再生されて生成された再生情報を取得する、
付記１に記載の送信機。
（付記３）
ユーザによって指定された再生時刻を記憶する指定情報記憶部と、
時刻を計時する計時部と、
前記計時部により計時されている時刻が前記指定情報記憶部に記憶された再生時刻になると、通常モードよりも消費する電力が少ない省電力モードから前記通常モードへ前記機器を移行させて、前記機器を、前記録画情報または録音情報の再生が可能な状態に移行させる再生移行部と、を備え、
前記指示部は、前記再生移行部により前記機器が前記再生可能な状態に移行した後に、前記録画情報または録音情報の再生を指示する、
付記２に記載の送信機。
（付記４）
前記録画情報または録音情報を再生した前記機器から、前記再生の完了を示す再生完了信号を取得する再生完了信号取得部を備え、
前記再生移行部は、前記再生完了信号取得部により前記再生完了信号が取得された場合に、前記録画情報または録音情報の再生が不可能な状態に前記機器を移行させて、前記機器を、前記省電力モードに移行させる、
付記３に記載の送信機。
（付記５）
録画によって記憶媒体に記憶された録画情報または録音によって前記記憶媒体に記憶された録音情報の再生によって生成された再生情報を受信する受信部と、
前記受信部により受信された再生情報を予め指定されたフォーマットで記憶装置に記憶させる記憶制御部と、
を備える受信機。
（付記６）
ユーザによって設定された再生時刻を記憶する時刻情報記憶部と、
時刻を計時する計時部と、
前記計時部により計時されている時刻が前記時刻情報記憶部に記憶された再生時刻になると、通常モードよりも消費する電力が少ない省電力モードから前記通常モードへ前記記憶装置を移行させて、前記記憶装置を、前記再生情報の記憶が可能な状態に移行させる記憶移行部と、を備え、
前記記憶制御部は、前記記憶移行部により前記記憶装置が記憶可能な状態に移行した後に、前記受信された再生情報を前記記憶装置に記憶させる、
付記５に記載の受信機。
（付記７）
前記受信された再生情報を記憶した前記記憶装置から、前記記憶の完了を示す記憶完了信号を取得する記憶完了信号取得部を備え、
前記記憶移行部は、前記記憶完了信号取得部により前記記憶完了信号が取得された場合に、前記受信した再生情報の記憶が不可能な状態に前記記憶装置を移行させて、前記記憶装置を、前記省電力モードに移行させる、
付記６に記載の受信機。
（付記８）
付記１から４のいずれか１つに記載の送信機と、
付記５から７のいずれか１つに記載の受信機と、
を備える制御システム。
（付記９）
送信機の送信方法であって、
前記送信機が、録画によって記憶媒体に記憶された録画情報または録音によって前記記憶媒体に記憶された録音情報の再生によって生成された再生情報を取得する再生情報取得ステップと、
前記送信機が、前記再生情報取得ステップにより取得された再生情報を、前記再生情報を受信して記憶装置に記憶させる受信機へ送信する送信ステップと、
を備える送信方法。
（付記１０）
受信機の受信方法であって、
前記受信機が、録画によって記憶媒体に記憶された録画情報または録音によって前記記憶媒体に記憶された録音情報の再生によって生成された再生情報を受信する受信ステップと、
前記受信機が、前記受信ステップにより受信された再生情報を予め指定されたフォーマットで記憶装置に記憶させる記憶制御ステップと、
を備える受信方法。
（付記１１）
送信機を制御するコンピュータに、
録画によって記憶媒体に記憶された録画情報または録音によって前記記憶媒体に記憶された録音情報の再生によって生成された再生情報を取得する再生情報取得機能、
前記再生情報取得機能により取得された再生情報を、前記再生情報を受信して記憶装置に記憶させる受信機へ送信する送信機能、
を実現させるプログラム。
（付記１２）
受信機を制御するコンピュータに、
録画によって記憶媒体に記憶された録画情報または録音によって前記記憶媒体に記憶された録音情報の再生によって生成された再生情報を受信する受信機能、
前記受信機能により受信された再生情報を予め指定されたフォーマットで記憶装置に記憶させる記憶制御機能、
を実現させるプログラム。
【符号の説明】
【０１３５】
１０，６０，８０          送信機
２０，７０，９０          受信機
３０，３１，３２          制御システム
４１                      ＶＨＳビデオデッキ
４２                      ＣＤ／ＤＶＤプレイヤ
４３，５１                ＨＤＤレコーダ
５２                      ＣＤ／ＤＶＤレコーダ
５３                      ＵＳＢメモリ
１００，２００            制御部
１１０                    ドライバ部
１２０，２２０            入力部
１３０                    指定情報記憶部
１４０                    トランスミッタ部
１５０，２５０            インタフェイス部
２３０                    時刻情報記憶部
２４０                    レシーバ部
ＢＬ                      バスライン
【図１】
2014116695.tif 000003
【図２】
2014116695.tif 000004
【図３】
2014116695.tif 000005
【図４】
2014116695.tif 000006
【図５】
2014116695.tif 000007
【図６】
2014116695.tif 000008
【図７】
2014116695.tif 000009
【図８】
2014116695.tif 000010
【図９】
2014116695.tif 000011
【図１０】
2014116695.tif 000012
【図１１】
2014116695.tif 000013
【図１２】
2014116695.tif 000014